(57)【要約】【課題】  採光性を高めることができるとともに、屋内の断熱性やプライバシーの確保を図ることができる住宅を提供する。【解決手段】  住宅１は、玄関ドア２１が設けられた外壁に沿って長尺に形成され、上部に吹き抜け２３が設けられた玄関部２と、前記玄関部２に隣接して当該玄関部２の長さ方向に沿って形成され１階と２階とを繋ぐ直階段５と、前記玄関部２の一端部に繋がるとともに、前記直階段５の上り口に隣接する１階居室３と、を備え、前記玄関部２の他端部に屋外からの光を取り入れる第一開口部４が形成されるとともに、前記直階段５の２階端部に対向する外壁面に形成され光を取り入れる第二開口部７が形成され、前記玄関部２の前記一端部及び前記直階段５の前記上り口と、前記１階居室３との境界をそれぞれ開閉可能に分割された引き戸建具９が設けられる。【選択図】図１
2020070600.tif 000002
【特許請求の範囲】
【請求項１】
玄関ドアが設けられた外壁に沿って長尺に形成され、上部に吹き抜けが設けられた玄関部と、
前記玄関部に隣接して当該玄関部の長さ方向に沿って形成され１階と２階とを繋ぐ直階段と、
前記玄関部の一端部に繋がるとともに、前記直階段の上り口に隣接する１階居室と、
を備え、
前記玄関部の他端部に屋外からの光を取り入れる第一開口部が形成されるとともに、前記直階段の２階端部に対向する外壁面に光を取り入れる第二開口部が形成され、
前記玄関部の前記一端部及び前記直階段の前記上り口と、前記１階居室との境界をそれぞれ開閉可能に分割された引き戸建具が設けられることを特徴とする住宅。
【請求項２】
前記引き戸建具は明かり障子又は太鼓障子であることを特徴とする請求項１に記載の住宅。
【請求項３】
前記第一開口は、１階の床面から天井高にまで亘って形成されるとともに、前記第二開口は、２階の床面から天井高にまで亘って形成される大開口であることを特徴とする請求項１又は請求項２のいずれかに記載の住宅。
【請求項４】
前記直階段の下部に前記玄関部からアクセス可能な収納部が形成されることを特徴とする請求項１から請求項３のいずれかに記載の住宅。
【発明の詳細な説明】
【技術分野】
【０００１】
本発明は、採光性を高めた住宅に関する。
【背景技術】
【０００２】
リビングに設けられた開口部に階上に上がるリビング階段が設けれらるリビング構造において、空調効率を向上させる為に、当該リビング階段の開口部に収納及び引き出し可能なスクリーンを設けた構造が提案されている（例えば特許文献１参照）。
【０００３】
また、外壁に向かって上り勾配の直階段を設けて、当該外壁に大開口を設けることで大開口から取り込んだ光を下階に導くことができる住宅が提案されており、下階の奥まった位置に自然光を取り込むことができる構成となっている（例えば特許文献２参照）。
【先行技術文献】
【特許文献】
【０００４】
【特許文献１】特開２０１０−７１０５１号公報
【特許文献２】特開２０１４−１０１６９０号公報
【発明の概要】
【発明が解決しようとする課題】
【０００５】
ところで、階段を利用した採光と空調効率とを両立した技術については知られていない。また、階段を利用した採光とプライバシーの確保とを両立した技術についても知られていない。
【０００６】
そこで本発明は、採光性を高めることができるとともに、屋内の断熱性やプライバシーの確保を図ることができる住宅を提供することを目的とする。
【課題を解決するための手段】
【０００７】
本発明の住宅は、玄関ドアが設けられた外壁に沿って長尺に形成され、上部に吹き抜けが設けられた玄関部と、前記玄関部に隣接して当該玄関部の長さ方向に沿って形成され１階と２階とを繋ぐ直階段と、前記玄関部の一端部に繋がるとともに、前記直階段の上り口に隣接する１階居室と、を備え、前記玄関部の他端部に屋外からの光を取り入れる第一開口部が形成されるとともに、前記直階段の２階端部に対向する外壁面に光を取り入れる第二開口部が形成され、前記玄関部の前記一端部及び前記直階段の前記上り口と、前記１階居室との境界をそれぞれ開閉可能に分割された引き戸建具が設けられることを特徴としている。
【０００８】
本発明の住宅は、前記引き戸建具は明かり障子又は太鼓障子であることを特徴としている。
【０００９】
本発明の住宅は、前記第一開口は、１階の床面から天井面にまで亘って形成されるとともに、前記第二開口は、２階の床面から天井面にまで亘って形成される大開口であることを特徴としている。
【００１０】
本発明の住宅は、前記直階段の下部に玄関部からアクセス可能な収納部が形成されることを特徴としている。
【発明の効果】
【００１１】
本発明の住宅によると、玄関部が、玄関ドアが設けられた外壁に沿って長尺に形成されており、当該玄関部の一端部が一階居室に繋がるとともに、当該玄関部の他端部に屋外から光を取り入れる第一開口部が形成されており、玄関部に隣接して玄関部の長さ方向に沿って１階と２階とを繋ぐ直階段が形成されており、直階段は、上り口が１階居室に隣接し、２階端部に対向する外壁面に光を取り入れる第二開口部が形成されているので、第二開口部から直階段を下るように斜め下方に取り入れられた光が１階居室に取り入れられるとともに、第一開口部から水平方向に取り入れられた光が玄関部を通って１階居室に取り入れられるので、１階居室への採光性を高めて、１階居室をより明るくすることができる。しかも、玄関部の一端部及び直階段の上り口と、１階居室との境界には、玄関の一端部及び直階段の上り口をそれぞれ開閉可能に分割された引き戸建具が設けられているので、１階居室に取り込まれる光の量を調整することができ、１階居室を程よい明るさの空間とすることができる。また、引き戸建具によって１階居室を玄関部及び直階段から空間的に閉じることで、１階居室の断熱性を高めて空調効率を高めることができる。また、外部から第一開口部を通る視線を引き戸建具で遮ることができるので、１階居室のプライバシーを確保することができる。第一開口部自体にカーテンなどの視線を遮るものを設置するのではなく、玄関部と１階居室との間の引き戸建具で視線を遮ることで、住宅を奥行き感のある立体的な外観とすることができる。そして、引き戸建具が、玄関部の一端部及び直階段の上り口を閉じる建具が引き戸建具であるので完全に閉じるだけではなく、一部のみを閉じるなど自由に引き戸建具を配置することができるので、採光性、プライバシー、断熱性などの要素を居住者が自由に判断して居住者の居心地のよい空間とすることができる。
【００１２】
本発明の住宅によると、引き戸建具が明かり障子又は太鼓障子であるので、引き戸建具を閉じた場合であっても第一開口部及び第二開口部から柔らかな光を取り入れることができ、プライバシーや断熱性を確保しつつ、１階居室を居心地よい空間とすることができる。特に太鼓障子は断熱性に優れるので、１階居室の空調効率をより高めることができる。
【００１３】
本発明の住宅によると、第一開口は、１階の床面から天井面にまで亘って形成されるとともに、第二開口は、２階の床面から天井面にまで亘って形成される大開口であるので、外部からより多くの光を取り込むことができ、引き戸建具で取り込んだ光を調節して１階居室に取り入れることができる。
【００１４】
本発明の住宅によると、直階段の下部に玄関部からアクセス可能な収納部が形成されるので、玄関部と直階段とを平行に隣接させて配置した間取りでありつつ、階段下スペースを有効に活用して、玄関部に下駄箱などの収納家具を設置する必要がないので、第一開口部から取り込んだ光を１階居室に遮るものなく取り入れることができる。
【図面の簡単な説明】
【００１５】
【図１】住宅の１階の構成を示す間取り図。
【図２】住宅の２階の構成を示す間取り図。
【図３】図１のＩ−Ｉ線断面を示す図。
【図４】引き戸建具の配置のバリエーションを示す図。
【図５】住宅を配置する敷地及び隣地の状況を示す図。
【発明を実施するための形態】
【００１６】
以下、本発明に係る住宅１の最良の実施形態について、各図を参照しつつ説明する。本実施形態における住宅１は、図５に示すように、間口方向よりも奥行き方向が長く形成された矩形の敷地１１に建設されている。そして、住宅１の敷地１１は南側を公道１２に接道している。当該敷地１１の東西北の３方向の隣地には、例えば隣接家屋１３が設けられている。なお、隣地は隣接家屋１３に限られず、例えば駐車場、集合住宅、商業施設、公共施設などの他の用途に利用されるものであってもよい。なお、本実施形態において、東西南北の方角は厳密な方角を意味するものではなく、「北」は少なくとも北西から北東の範囲であり、「東」「西」「南」についても同様に、北東から南東、北西から南西、南東から南西の範囲をいう。本実施形態においては、敷地１１は南側を公道１２に接道しているが、これに限定されるものではなく、敷地１１の接道方向が他の方角であっても良い。また、敷地１１は矩形のものに限定されるものではなく、例えば旗竿敷地などの他の異なる形状の敷地１１であってもよい。
【００１７】
敷地１１の公道１２寄りには、ガレージ１４が設けられており、当該ガレージ１４の奥側に住宅１が建設されている。ガレージ１４には図示しないが木製ゲートが配置されている。また、住宅１の周りには屋内側への視線を遮る位置に植栽１５が配置されており、外部からの視線を遮るとともに、屋内からも緑を楽しむことができるように構成されている。敷地１１には東側の境界に沿ってアプローチ１６が設けられており、公道１２から玄関への経路となっている。アプローチ１６は、玄関に向かって上り勾配のスロープとなっており、公道１２から玄関に向かって段差無くアクセスすることができるバリアフリーの構造となっている。
【００１８】
住宅１の１階は、図１に示すように、平面視略矩形に形成されており、南向きの外壁の東側の端部には袖壁１７が形成されている。東側の袖壁１７は隣接家屋１３からの視線を遮って、住宅１の屋内のプライバシーを守る。また、南向きの外壁の西側の端部にも袖壁１７よりも長く突出した壁体１８が形成されている。壁体１８は後述する２階オーバーハング部の荷重を支える。
【００１９】
住宅１の１階の東向きの外壁には玄関ドア２１が設けられている。玄関ドア２１は住宅１の敷地１１の東側の境界に沿って形成されたアプローチ１６に繋がる玄関ポーチ２２に隣接している。玄関ドア２１の屋内側には玄関部２が形成されている。玄関部２は、床面が土間床となっており、玄関ドア２１が設けられた外壁に沿って南北方向に長尺に形成されている。玄関部２の上部は２階に繋がる吹き抜け２３となっており、玄関部２が広がりある印象となっている。また、玄関部２は、北側の端部が１階居室３に繋がるとともに、南側の端部には、南側の外壁となっており、屋外から光を取り入れる第一開口部４が形成されている。
【００２０】
第一開口部４は、嵌め殺しの透明なガラス窓であり、高さ方向は１階の床面から１階の天井高までに亘る大開口である。また、第一開口部４の幅は玄関部２から玄関部２に隣接する直階段５の下方にまで延びて形成されている。なお、玄関部２は吹き抜け２３であるので天井は存在してないので、第一開口部４の高さは住宅１の１階の他の部分の天井高と等しいが、第一開口部４の高さは天井高よりも僅かに低いものであっても良いし、又は、２階の床高さまで延びて形成されていても良い。
【００２１】
玄関部２の隣には、当該玄関部２の長さ方向に沿って１階と２階とを繋ぐ直階段５が形成されている。直階段５は、第一開口部４が設けられた南側の外壁に向かって上り勾配に形成されており、２階廊下７１に繋がる階段ホール７２に接続されている。直階段５の玄関部２側には手摺が設けられている。また、階段ホール７２の下側には、玄関部２と１階廊下６１とを繋ぐ通路２４が形成されている。１階廊下６１は直階段５を挟んで玄関部２と平行に配置された廊下である。１階廊下６１は挽き板のフローリング床となっており、玄関部２の土間床と同じ床レベルに形成されている。また、直階段５の下側には、収納部６が設けられている。収納部６は、通路２４を介して玄関部２からアクセス可能となっており、シューズクロークとして利用される。このように直階段５下にシューズクロークとして利用可能な収納部６を設けたことで、直階段５下スペースを有効に活用して、玄関部２に下駄箱などの収納家具を設置する必要がないので、第一開口部４から取り込んだ光が遮られることがない。なお、本実施形態のシューズクロークは、通路２４側と１階廊下６１側の両方から出入り可能に構成されたウォークスルー形式のシューズクロークである。
【００２２】
また、図２に示すように、直階段５の２階端部に対向する外壁面に光を取り入れる第二開口部７が形成されている。第二開口部７は直階段５から階段ホール７２を挟んで南側の外壁に形成されている。第二開口部７は第一開口部４の真上に形成されている。第二開口部７は、嵌め殺しの透明なガラス窓であり、高さ方向は２階の床面から２階の天井高までに亘る大開口である。また、第二開口部７の幅は階段ホール７２から玄関部２の上方の吹き抜け２３にまで延びて形成されている。すなわち、玄関部２の南側の外壁には第一開口部４及び第二開口部７が高さ方向に並んで配置されており、玄関部２及び直階段５が開放的な印象となるとともに、１階及び２階から外部の自然光を取り入れることができる。
【００２３】
玄関部２の北側に設けられる１階居室３は本実施形態においては、ダイニングルームである。なお、ダイニングルームに限られるものではなく、例えば、リビングルームやキッチン、その他の居室であってもよい。１階居室３の床面は人造大理石貼りの床面となっており、玄関部２の土間床と同じ床レベルに形成されている。したがって、１階廊下６１、玄関部２、１階居室３の床面は面一であり、玄関部２から段差無く各部屋に入ることが出来る。１階居室３は１階廊下６１との間を仕切る建具が設けられておらず、１階居室３と１階廊下６１とは１つの仕切られない空間を形成している。また、１階居室３の北側には、キッチン６２が設けられており、当該キッチン６２の西側にリビングルーム６３が形成されている。リビングルーム６３は、南北方向に延びる１階廊下６１の北端に配置されており、フローリング床で形成されている。リビングルーム６３も１階廊下６１との間を仕切る建具が設けられておらず、リビングルーム６３、１階居室３、キッチン６２、及び１階廊下６１が仕切りの無い１つの空間となっている。
【００２４】
１階居室３は、玄関部２の一端部に繋がるとともに、直階段５の上り口に隣接している。すなわち１階居室３は、互いに隣接して形成されている玄関部２及び直階段５の北側に隣接して配置されている。１階居室３は玄関部２及び直階段５の幅の合計よりも幅の広い矩形に形成されている。１階居室３は、直階段５の玄関部２と反対側に隣接して設けられた物入８にも隣接しており、玄関部２、直階段５、及び物入８の北側が１階居室３となっている。物入８は、１階廊下６１側が開口しており、１階居室３側は物入８の側壁となっている。
【００２５】
そして、１階居室３と、玄関部２及び直階段５との境界には引き戸建具９が設けられている。引き戸建具９は、床面及び天井面に設けられた４条のレール９１に沿ってそれぞれスライド可能に４枚の分割体９２に分割されている。４条のレール９１はそれぞれ玄関部２、直階段５、及び物入８と１階居室３との境界に並べて平行に配置されている。
【００２６】
引き戸建具９は、本実施形態においては、太鼓障子である。太鼓障子は、格子に組まれた木製枠の両面に和紙などの光透過材を貼付して形成した障子である。両面に張られた光透過材の間に密閉された空気層が形成されることで、１階居室３と玄関部２及び直階段５との間の断熱性を高めることができる。なお、引き戸建具９は、太鼓障子に限定されるものではなく、片面のみ和紙などの光透過材を貼付した明かり障子であってもよい。また、光透過材は和紙に限定されるものではなく、塩化ビニル・アクリルなどの合成樹脂製、パルプなどを原料とする洋紙、磨りガラス、又はこれらを複層に貼り合せたものなどの材料であってもよい。自然光を１階居室３側に取り込むことが可能な程度の光透過性と、外部の視線が１階居室３側に侵入しない程度の不透視性とを備えた薄い材料であればどのようなものであってもよい。
【００２７】
引き戸建具９は４枚の分割体９２に分割されてそれぞれが異なるレール９１にスライド可能に配置されていることで、引き戸建具９を開放する際には、図４（Ａ）に示すように、４枚の分割体９２が物入８の側壁に重なるように配置する。分割体９２が物入８の側壁に４枚とも重なって配置されると、直階段５及び玄関部２と１階居室３との間に引き戸建具９がない状態となる。このとき、直階段５及び玄関部２が１階居室３と繋がり、１階居室３から直階段５及び玄関部２へ行き来可能となるとともに、引き戸建具９に遮られることなく、１階居室３へ通風することができ、また、１階居室３から外部を見通すことができる。
【００２８】
そして、図４（Ｂ）に示すように、引き戸建具９の分割体９２を隣り合う端部同士を重ねながら玄関部２及び直階段５と１階居室３との間に配置することで、１階居室３と玄関部２及び直階段５との間を閉じることが出来る。このように引き戸建具９を玄関部２及び直階段５と１階居室３の間に配置することで、引き戸建具９を透過して光を１階居室３に取り入れつつ、１階居室３の断熱性を高めて、空調効率を高めることができる。また、屋外からの視線を遮ることができるので、１階居室３のプライバシーを守ることができる。
【００２９】
また、図４（Ｃ）（Ｄ）に示すように、引き戸建具９で玄関部２及び直階段５と１階居室３との間を完全に閉じるほか、一部のみを閉鎖することも出来る。すなわち、図４（Ｃ）では、引き戸建具９の分割体９２のうち２枚の分割体９２を物入８の側壁に重ねて配置するとともに、２枚の分割体９２を互いの端部同士を重ねながら直階段５と１階居室３との間に配置することで、直階段５と１階居室３との間は閉じつつ、玄関部２と１階居室３との間は開いている。また、図４（Ｄ）では、引き戸建具９の分割体９２のうち２枚の分割体９２を物入８の側壁に重ねて配置するとともに、２枚の分割体９２を互いの端部同士を重ねながら玄関部２と１階居室３との間に配置することで、直階段５と１階居室３との間は開きつつ、玄関部２と１階居室３との間は閉じている。
【００３０】
なお、図示はしないが、引き戸建具９は、上述の配置の他、例えば、３枚の分割体９２を物入８の側壁に重ねて配置し、１枚の分割体９２を直階段５又は玄関部２と１階居室３の間の任意の位置に配置してもよいし、１枚の分割体９２を全て重ねた状態で、直階段５又は玄関部２と１階居室３の間の任意の位置に配置してもよい。分割体９２を重ねた状態で直階段５又は玄関部２と１階居室３の間に配置した場合、１枚の分割体９２に比べて光透過率が低下して、１階居室３に取り入れられる光の量をより細かく調節することもできる。
【００３１】
このように、引き戸建具９の各分割体９２はそれぞれ独立してそれぞれのレール９１上の任意の位置に配置することができるので、直階段５及び玄関部２と１階居室３との間を完全に閉じた状態から完全に開いた状態までの間で、１階居室３への採光性、通風性、断熱性、プライバシーなどの要素を考慮しながら、自由に引き戸建具９を配置することができる。
【００３２】
南北方向に延びる１階廊下６１の西側には南側の外壁に沿って１階洗面所６４及び１階トイレ６５が形成されている。また、これら１階洗面所６４及び１階トイレ６５の北側には、１階廊下６１に隣接して第二居室６６が配置されている。第二居室６６は、床面が畳になった和室である。また、第二居室６６と１階廊下６１との間には太鼓障子の建具が設けられており、１階廊下６１と第二居室６６とを仕切ることができる。
【００３３】
第二居室６６の北側には引き違い窓の掃き出し窓６７ａが設けられており、上方が開放された中庭６８が設置されている。中庭６８は、平面視矩形で、第二居室６６、１階廊下６１、及びリビングルーム６３に隣接して配置されている。中庭６８と１階廊下６１との間には嵌め殺し窓６７ｂが設けられている。また、中庭６８とリビングルーム６３との間にも掃き出し窓６７ｃが設けられている。中庭６８の１階廊下６１と反対側の面には、目隠し壁６９が形成されており、外部からの視線を遮って中庭６８内に外部からの視線が侵入しないようにしている。中庭６８には目隠し壁６９に沿ってデッキ部７０が形成されており、第二居室６６とリビングルーム６３との間をデッキ部７０を通って行き来可能に形成している。
【００３４】
また、住宅１の２階は、図２に示すように、直階段５を上った位置に形成される階段ホール７２の東側は玄関部２の上方の吹き抜け２３となっており、階段ホール７２から吹き抜け２３を見下ろすと玄関部２が視認可能となっている。階段ホール７２の西側には２階廊下７１が南北に延びて形成されている。また直階段５及び玄関部２の上方の吹き抜け２３の北側には吹き抜け２３を見下ろすことができる２階廊下７１と一体となったフリースペース７３が形成されている。フリースペース７３の北側には納戸７４が設けられ、納戸７４の北側に２階洗面所７５、脱衣所７６、バスルーム７７が並べて配置されている。またバスルーム７７の東側には２階トイレ７８が配置されており、２階トイレ７８は２階廊下７１の北端に形成されている。
【００３５】
２階トイレ７８の西側には２階廊下７１に繋がる第三居室７９が形成されている。第三居室７９の南側には２階廊下７１に隣接する第一バルコニー８０が形成されており、第一バルコニー８０は中庭６８に対面している。また中庭６８の南側にも第二バルコニー８１が形成されており、第一バルコニー８０と第二バルコニー８１とは中庭６８を挟んで向かい合っている。第二バルコニー８１の南側には第四居室８２が２階廊下７１に繋がって形成されている。第四居室８２は一部が１階の外壁よりも南側に突出して２階オーバーハング部となっている。第四居室８２の南側にはクローゼット８３が形成されている。
【００３６】
本発明の住宅１は、玄関部２及び直階段５が隣接して配置されており南側の外壁の１階部分に第一開口部４が形成され、２階部分に第二開口部７が形成されていることで、図３に示すように、第一開口部４から玄関部２を通って１階居室３に光を届けることが出来るとともに、第二開口部７から直階段５及び玄関部２上の吹き抜け２３を通って１階居室３に光を届けることができるので、採光性を向上させることができる。また、直階段５及び玄関部２と１階居室３との間に分割された引き戸建具９を配置することで、採光、通風、断熱、プライバシー、室内の雰囲気などの様々な要素を考慮して居住者が季節や時間帯などの生活の様々な場面において、引き戸建具９を自由に配置することができ、居住者にとって１階居室３を居心地のよい空間とすることができる。
【００３７】
本発明の実施の形態は上述の形態に限ることなく、本発明の思想の範囲を逸脱しない範囲で適宜変更することができることは云うまでもない。
【産業上の利用可能性】
【００３８】
本発明に係る住宅１は、採光性を向上させた住宅１として好適である。
【符号の説明】
【００３９】
１      住宅
２      玄関部
３      １階居室
４      第一開口部
５      直階段
６      収納部
７      第二開口部
９      引き戸建具
２１    玄関ドア
２３    吹き抜け
【図１】
2020070600.tif 000003
【図２】
2020070600.tif 000004
【図３】
2020070600.tif 000005
【図４】
2020070600.tif 000006
【図５】
2020070600.tif 000007